(57)【要約】【課題】シート上に表示された情報を確実に分断して情報の漏洩を回避する。【解決手段】貼付票１２を具備する伝票シート１０と、伝票シート１０の裏面に積層された擬似接着層４０とを有し、伝票シート１０は、伝票シート１０を貫通し、Ｕ字状のスリット１３が貼付票１２内に形成され、擬似接着層４０は、貼付票１２に対向する領域のうち、スリット１３の内側の領域に、それ以外の領域よりも強い接着力を具備する強接着部を有する。【選択図】図１
2020024249.tif 000002
【特許請求の範囲】
【請求項１】
情報が表示される情報表示部を具備する第１のシートと、
前記第１のシートの前記情報が表示される面とは反対側の面に積層された第１の接着層とを有し、
前記第１のシートは、当該第１のシートを貫通し、突出側とは反対側が開口した凸形状を具備する切り込みが前記情報表示部内に形成され、
前記第１の接着層は、少なくとも前記情報表示部に対向する領域が、当該第１の接着層によって基材または被着体に貼着された前記第１のシートの前記基材または被着体からの剥離を可能とする構造を具備し、かつ、前記情報表示部に対向する領域のうち、前記切り込みの凸形状の先端部分の内側の領域に、それ以外の領域よりも強い接着力を具備する強接着部を有する、情報保護ラベル。
【請求項２】
請求項１に記載の情報保護ラベルにおいて、
前記基材として、前記第１の接着層によってその全面にて前記第１のシートに擬似貼着され、前記第１のシートとの貼着面とは反対側の面に第２の接着層が積層された第２のシートを有する、情報保護ラベル。
【請求項３】
請求項１または請求項２に記載の情報保護ラベルにおいて、
前記切り込みを複数有し、該複数の切り込みが互いに同一方向を向いて形成されている、情報保護ラベル。
【発明の詳細な説明】
【技術分野】
【０００１】
本発明は、情報が表示されるラベルに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、配送物が配送される際、配送物に貼着される配送ラベルに表示されて用いられる場合があるが、その場合、配送物から剥離した配送ラベルの廃棄とともに個人情報が漏洩する可能性が生じてしまう。
【０００３】
ここで、個人情報が表示される情報表示シートと、接着層を介して情報表示シートに剥離可能に接着された基材シートとからなる個人情報保護シートであって、基材シートには、その周縁部と内側領域とを切り離すための切れ目が予め設けられており、情報表示シートには、基材シートの内側領域と重なる領域に、閉じたループ状の接着層も貫通する切れ目が予め設けられた個人情報保護シートが、例えば、特許文献１に開示されている。
【０００４】
特許文献１に開示された技術によれば、情報表示シートに個人情報が表示されている個人情報保護シートを廃棄する際に、基材シート側から、基材シートの切れ目によって基材シートの内側領域とその周縁部を分離しつつ、基材シートの内側領域を情報表示シートから剥離すると、情報表示シートに設けられたループ状の切れ目の内側領域が、基材シートとともに情報表示シートから分離する一方、ループ状の切れ目の外側領域が情報表示シートに残存し、それにより、情報表示シートに記載された個人情報を分断し、個人情報の漏洩を回避することができる。
【先行技術文献】
【特許文献】
【０００５】
【特許文献１】特許第４２１０１７８号公報
【発明の概要】
【発明が解決しようとする課題】
【０００６】
しかしながら、特許文献１に開示されたものにおいては、情報表示シートに閉じたループ状の切れ目が設けられているものの、情報表示シートと基材シートとが剥離可能に貼着されたものであるため、基材シートから情報表示シートを剥離した際、その剥離の速度等の条件によっては、情報表示シートがループ状の切れ目の内側領域と外側領域とが分離せず、情報表示シートに記載された個人情報が分断しないこととなって個人情報が漏洩する可能性が生じてしまうという問題点がある。
【０００７】
本発明は、上述したような従来の技術が有する問題点に鑑みてなされたものであって、シート上に表示された情報を確実に分断して情報の漏洩を回避できる情報保護ラベルを提供することを目的とする。
【課題を解決するための手段】
【０００８】
上記目的を達成するために本発明は、
情報が表示される情報表示部を具備する第１のシートと、
前記第１のシートの前記情報が表示される面とは反対側の面に積層された第１の接着層とを有し、
前記第１のシートは、当該第１のシートを貫通し、突出側とは反対側が開口した凸形状を具備する切り込みが前記情報表示部内に形成され、
前記第１の接着層は、少なくとも前記情報表示部に対向する領域が、当該第１の接着層によって基材または被着体に貼着された前記第１のシートの前記基材または被着体からの剥離を可能とする構造を具備し、かつ、前記情報表示部に対向する領域のうち、前記切り込みの凸形状の先端部分の内側の領域に、それ以外の領域よりも強い接着力を具備する強接着部を有する。
【０００９】
上記のように構成された本発明においては、第１の接着層によって基材または被着体に貼着された第１のシートのうち情報表示部を基材または被着体から剥離する際、第１の接着層が、第１のシートに形成された切り込みの凸形状の先端部分の内側の領域に、それ以外の領域よりも強い接着力を具備する強接着部を有するため、情報表示部は、切り込みの凸形状の先端部分の内側の領域が、基材または被着体から剥離しにくくなっている。そのため、凸形状の突出側を剥離開始端側として情報表示部を基材または被着体から剥離していくと、情報表示部のうち切り込みの凸形状の外側の領域が基材または被着体から剥離される一方、切り込みの凸形状の内側の領域が基材または被着体に貼着されたままとなり、情報表示部が切り込みの凸形状の外側の領域と内側の領域とに分離していく。そして、情報表示部の分離部分が凸形状の開口側の端部に達した後は、凸形状の延長線が向かう方向に情報表示部が分離していく。情報表示部が切り込みの凸形状の外側の領域と内側の領域とに分離した後は、情報表示部には、凸形状の内側の領域が存在しない状態となり、それにより、情報表示部に表示された情報が認識困難なものとなり、情報の漏洩が回避されることとなる。
【００１０】
このように、第１の接着層が、第１のシートに形成された切り込みの凸形状の先端部分の内側の領域に、それ以外の領域よりも強い接着力を具備する強接着部を有することにより、凸形状の突出側を剥離開始端側として情報表示部を基材または被着体から剥離した際、情報表示部のうち切り込みの凸形状の外側の領域と、切り込みの凸形状の内側の領域とが分離しやすくなり、シート上に表示された情報を確実に分断して情報の漏洩を回避できる。
【００１１】
また、基材として、第１の接着層によってその全面にて第１のシートに擬似貼着され、第１のシートとの貼着面とは反対側の面に第２の接着層が積層された第２のシートを用い、シート基材が２層構造となったラベルとしてもよい。
【００１２】
また、切り込みを複数有し、複数の切り込みが互いに同一方向を向いて形成されていれば、切り込みの凸形状の突出側を剥離開始端側として情報表示部を基材または被着体から剥離していくことで、情報表示部に細かい分離部分を多数形成することができ、情報表示部に表示された情報がさらに認識困難となる。
【発明の効果】
【００１３】
本発明によれば、第１のシートが、第１のシートを貫通し、突出側とは反対側が開口した凸形状を具備する切り込みが情報表示部内に形成され、第１の接着層が、第１のシートに形成された切り込みの凸形状の先端部分の内側の領域に、それ以外の領域よりも強い接着力を具備する強接着部を有する構成であるため、凸形状の突出側を剥離開始端側として情報表示部を基材または被着体から剥離した際、情報表示部のうち切り込みの凸形状の外側の領域と、切り込みの凸形状の内側の領域とが分離しやすくなり、シート上に表示された情報を確実に分断して情報の漏洩を回避できる。
【００１４】
また、切り込みを複数有し、複数の切り込みが互いに同一方向を向いて形成されているものにおいては、切り込みの凸形状の突出側を剥離開始端側として情報表示部を基材または被着体から剥離していくことで、情報表示部に細かい分離部分を多数形成することができ、情報表示部に表示された情報をさらに認識困難とすることができる。
【図面の簡単な説明】
【００１５】
【図１】本発明の情報保護ラベルを利用した配送ラベルの第１の実施の形態を示す図であり、（ａ）は表面図、（ｂ）は（ａ）に示したＡ−Ａ’断面図、（ｃ）は伝票シートの裏面に積層されたニス層の構成を示す図である。
【図２】図１に示した配送ラベルが配送物に貼着されるまでの使用方法を説明するための図である。
【図３】配送物の配送先に配送される際の配送ラベルの使用方法を説明するための図である。
【図４】配送物の配送先に配送された後の配送ラベルの使用方法を説明するための図である。
【図５】本発明の情報保護ラベルを利用した配送ラベルの第２の実施の形態を示す図であり、（ａ）は表面図、（ｂ）は（ａ）に示したＡ−Ａ’断面図、（ｃ）は伝票シートの裏面の構成を示す図である。
【図６】本発明の情報保護ラベルを利用した配送ラベルの第３の実施の形態を示す図であり、（ａ）は表面図、（ｂ）は（ａ）に示したＡ−Ａ’断面図、（ｃ）は伝票シートの裏面に積層されたニス層の構成を示す図である。
【図７】図６に示した配送ラベルが配送物に貼着されるまでの使用方法を説明するための図である。
【図８】配送物の配送先に配送される際の配送ラベルの使用方法を説明するための図である。
【図９】配送物の配送先に配送された後の配送ラベルの使用方法を説明するための図である。
【図１０】配送物の配送先に配送された後の配送ラベルの使用方法を説明するための図である。
【図１１】本発明の情報保護ラベルを利用した配送ラベルの第４の実施の形態を示す図であり、（ａ）は表面図、（ｂ）は（ａ）に示したＡ−Ａ’断面図、（ｃ）は伝票シートの裏面の構成を示す図である。
【図１２】本発明の情報保護ラベルを利用した配送ラベルの第５の実施の形態を示す図であり、（ａ）は表面図、（ｂ）は（ａ）に示したＡ−Ａ’断面図、（ｃ）は伝票シートの裏面に積層されたニス層の構成を示す図である。
【図１３】図１２に示した配送ラベルが配送物に貼着されるまでの使用方法を説明するための図である。
【図１４】配送物の配送先に配送される際の配送ラベルの使用方法を説明するための図である。
【図１５】配送物の配送先に配送された後の配送ラベルの使用方法を説明するための図である。
【図１６】配送物の配送先に配送された後の配送ラベルの使用方法を説明するための図である。
【図１７】本発明の情報保護ラベルを利用した配送ラベルの第６の実施の形態を示す図であり、（ａ）は表面図、（ｂ）は（ａ）に示したＡ−Ａ’断面図、（ｃ）は伝票シートの裏面の構成を示す図である。
【発明を実施するための形態】
【００１６】
以下に、本発明の実施の形態について図面を参照して説明する。
【００１７】
（第１の実施の形態）
図１は、本発明の情報保護ラベルを利用した配送ラベルの第１の実施の形態を示す図であり、（ａ）は表面図、（ｂ）は（ａ）に示したＡ−Ａ’断面図、（ｃ）は伝票シート１０の裏面に積層されたニス層４２ａ，４２ｂの構成を示す図である。
【００１８】
本形態における配送ラベルは図１に示すように、伝票シート１０と中間シート２０とが擬似接着層４０によって剥離可能に擬似貼着されているとともに、中間シート２０の伝票シート１０との貼着面とは反対側の面に粘着剤層５０を介して剥離シート３０が剥離可能に貼着された配送ラベル１であって、伝票シート１０と擬似接着層４０とによって本願発明の情報保護ラベルが構成されている。
【００１９】
伝票シート１０は、本願発明における第１のシートを構成し、配達票１１と貼付票１２とがミシン目１４を介して分離可能に区画形成されて構成されている。
【００２０】
配達票１１には、この配送ラベル１が貼着されて配送される配送物の配送先の住所や氏名等の宛先情報が印字される配送情報表示欄１１ａが設けられているとともに、配達票１１を中間シート２０から剥離する際の剥離開始端部及び剥離方向を示す剥離開始マーク１１ｂが１つの角部に表示されている。
【００２１】
貼付票１２は、本願発明における情報表示部となるものであって、この配送ラベル１が貼着されて配送される配送物の配送先の住所や氏名等の宛先情報が印字される配送情報表示欄１２ａが設けられているとともに、貼付票１２を中間シート２０から剥離する際の剥離開始端部及び剥離方向を示す剥離開始マーク１２ｂが１つの角部に表示されている。さらに貼付票１２には、切り込みとなるＵ字状のスリット１３が伝票シート１０を貫通して複数形成されている。この複数のスリット１３は、Ｕ字状の突出側が、剥離開始マーク１２ｂによって示される剥離開始端部側となるように互いに同一方向を向いて形成されている。
【００２２】
伝票シート１０の裏面に積層された擬似接着層４０は、本願発明における第１の接着層を構成し、二種類のニス層４２ａ，４２ｂと接着剤層４１とが積層されて構成されており、ニス層４２ａ，４２ｂが伝票シート１０側となるようにして伝票シート１０に積層されている。ニス層４２ａ，４２ｂは、互いにニスの濃度が異なり、それにより、伝票シート１０と中間シート２０とは擬似接着層４０によって剥離可能に貼着されているものの、ニス層４２ａが積層された領域とニス層４２ｂが積層された領域とでは、接着力が互いに異なるものとなっている。ニス層４２ｂは、伝票シート１０との積層面のうち、スリット１３の凸形状の内側に積層されており、ニス層４２ａは伝票シート１０との積層面のそれ以外の領域全面に積層されている。そして、ニス層４２ａにおけるニス濃度がニス層４２ｂにおけるニスの濃度よりも濃いことにより、擬似接着層４０は、貼付票１２に対向する領域のうち、スリット１３のＵ字状の内側の領域に、それ以外の領域よりも強い接着力を具備する強接着部を有するものとなっている。接着剤層４１は、ニス層４２ａ，４２ｂの全面を覆うように積層されている。
【００２３】
中間シート２０は、本願発明における第２のシートを構成するものであって、擬似接着層４０によって伝票シート１０に剥離可能に擬似貼着されている。中間シート２０の擬似接着層４０とは反対側の面には、その全面に粘着剤が塗布されることで粘着剤層５０が積層され、この粘着剤層５０によって剥離シート３０が剥離可能に貼着されている。なお、中間シート２０、粘着剤層５０及び剥離シート３０としては、中間シート２０と剥離シート３０が粘着剤層５０を介して剥離可能に貼着されたタック紙を用いることが考えられる。
【００２４】
以下に、上記のように構成された配送ラベル１の使用方法及びその際の作用について説明する。
【００２５】
図２は、図１に示した配送ラベル１が配送物に貼着されるまでの使用方法を説明するための図である。
【００２６】
図１に示した配送ラベル１を使用する場合は、まず、図２（ａ）に示すように、配送情報表示欄１１ａ，１２ａに、この配送ラベル１が貼着されて配送される配送物の配送先の住所や氏名等の配送情報１１ｃ，１２ｃが印字される。
【００２７】
配送情報表示欄１１ａ，１２ａに配送情報１１ｃ，１２ｃが印字された後、中間シート２０から剥離シート３０が剥離され、表出した粘着剤層５０によって、図２（ｂ）に示すように配送物２に貼着される。
【００２８】
このようにして配送ラベル１が貼着された配送物２は、配送情報表示欄１１ａ，１２ａに表示された配送情報１１ｃ，１２ｃに従って、配送物２の配送先に配送されていく。
【００２９】
図３は、配送物２の配送先に配送される際の配送ラベル１の使用方法を説明するための図である。図４は、配送物２の配送先に配送された後の配送ラベル１の使用方法を説明するための図である。
【００３０】
上記のように配送ラベル１が貼着された配送物２が配送先に配送されると、図３（ａ）に示すように、配達票１１が配送ラベル１から分離される。配達票１１は、ミシン目１４を介して貼付票１２と分離可能となっているとともに、伝票シート１０の裏面に積層された擬似接着層４０によって中間シート２０に剥離可能に貼着されていることで、例えば、剥離開始マーク１１ｂに従って中間シート２０から剥離することができる。その際、配達票１１と貼付票１２との境界のうち、剥離開始マーク１１ｂ側の端部に、剥離開始マーク１１ｂ側の端部が配達票１１側に斜めに向いたカット部を有するジッパーをミシン目１４の代わりに設けておけば、配達票１１を配送ラベル１から分離する力が配達票１１側に向かった場合でも、配達票１１の分離部分がミシン目１４からずれて配達票１１が破断してしまうことが回避される。
【００３１】
中間シート２０から剥離された配達票１１は、配送業者によって持ち帰られて配送管理に用いられる。
【００３２】
このようにして、図３（ｂ）に示すように、配達票１１が配送物２から分離されることになる。
【００３３】
その後、配送物２の配送先においては、配送物２のパッケージ等の外装を廃棄する際、図４（ａ）に示すように、貼付票１２が配送ラベル１から分離される。貼付票１２は、擬似接着層４０によって中間シート２０に剥離可能に貼着されているため、中間シート２０から剥離することで、配送ラベル１から分離することができる。その際、貼付票１２は、貼付票１２に表示された剥離開始マーク１２ｂに従って中間シート２０から剥離されていくことになる。
【００３４】
貼付票１２が、剥離開始マーク１２ｂに従って中間シート２０から剥離されていくと、貼付票１２には、Ｕ字状のスリット１３が複数形成されており、このスリット１３は、Ｕ字状の突出側が、剥離開始マーク１２ｂによって示される剥離開始端部側となるように互いに同一方向を向いて形成されているため、図４（ａ）に示すように、スリット１３のＵ字状の外側の領域が中間シート２０から剥離していく一方、Ｕ字状の内側の領域が中間シート２０に貼着されたままとなって、貼付票１２がスリット１３のＵ字状の外側の領域と内側の領域とに分離していく。
【００３５】
ここで、中間シート２０から貼付票１２を剥離する際、その剥離の速度等の条件によっては、貼付票１２がスリット１３のＵ字状の外側の領域と内側の領域とに分離しない虞がある。
【００３６】
しかしながら、本形態における配送ラベル１においては、伝票シート１０と中間シート２０とを剥離可能に擬似貼着する擬似接着層４０が、ニスの濃度が互いに異なる二種類のニス層４２ａ，４２ｂを用いることで、貼付票１２に形成されたスリット１３のＵ字状の内側の領域に、それ以外の領域よりも強い接着力を具備する強接着部を有するため、貼付票１２は、スリット１３のＵ字状の内側の領域が中間シート２０から剥離しにくくなっている。そのため、剥離開始マーク１２ｂに従って貼付票１２が中間シート２０から剥離されていくと、貼付票１２のうちスリット１３のＵ字状の外側の領域が中間シート２０から剥離される一方、スリット１３のＵ字状の内側の領域が中間シート２０に貼着されたままとなり、貼付票１２がスリット１３のＵ字状の外側の領域と内側の領域とに分離していく。そして、貼付票１２の分離部分がスリット１３のＵ字状の開口側の端部に達した後は、Ｕ字状の延長線が向かう方向に貼付票１２が分離していく。
【００３７】
このようにして、貼付票１２が中間シート２０から剥離され、配送ラベル１から分離された状態においては、図４（ｂ）に示すように、貼付票１２には、スリット１３のＵ字状の内側の領域が抜けた抜け部１２ｄが生じ、スリット１３のＵ字状の内側の領域が存在しない状態となる。その結果、貼付票１２に表示された配送情報１２ｃが分断され、認識することが困難となって情報の漏洩が回避されることとなる。
【００３８】
また、本形態においては、切り込みをＵ字状のスリット１３とし、このスリット１３が、互いに同一方向を向いて複数形成された構成とすることで、スリット１３のＵ字状の突出側を剥離開始端側として貼付票１２を中間シート２０から剥離していくことで、貼付票１２に細かい分離部分を多数形成することができ、貼付票１２に表示された情報をさらに認識困難とすることができる。
【００３９】
なお、本形態においては、擬似接着層４０が、ニスの濃度が互いに異なる二種類のニス層４２ａ，４２ｂを用いることで、貼付票１２に形成されたスリット１３のＵ字状の内側の領域に、それ以外の領域よりも強い接着力を具備する強接着部を有する構成を実現しているが、擬似接着層４０の接着剤層４１を構成する接着剤の濃度をスリット１３のＵ字状の内側の領域とそれ以外の領域とで異ならせたり、ニス層４２を構成するニスと接着剤層４１を構成する接着剤のそれぞれについてその濃度をスリット１３のＵ字状の内側の領域とそれ以外の領域とで異ならせたりすることで、貼付票１２に形成されたスリット１３のＵ字状の内側の領域に、それ以外の領域よりも強い接着力を具備する強接着部を有する構成を実現してもよい。さらには、貼付票１２に形成されたスリット１３のＵ字状の内側の領域にニス層を積層しない構成によっても、その領域に強接着部を有する構成を実現することができる。
【００４０】
（第２の実施の形態）
図５は、本発明の情報保護ラベルを利用した配送ラベルの第２の実施の形態を示す図であり、（ａ）は表面図、（ｂ）は（ａ）に示したＡ−Ａ’断面図、（ｃ）は伝票シート１０ａの裏面の構成を示す図である。
【００４１】
本形態は図５に示すように、図１に示した配送ラベル１に対して、伝票シート１０ａの構成と、伝票シート１０ａの裏面の構成が異なる配送ラベル１ａである。
【００４２】
本形態における伝票シート１０ａにおいては、伝票シート１０ａの外周に沿ってミシン目１４ａが形成されており、それにより、配達票１１及び貼付票１２が、ミシン目１４ａの外側の領域となる余剰部１５から分離可能に区画形成されている。
【００４３】
伝票シート１０ａの裏面には、その全面に粘着剤が塗布されることで粘着剤層５０が積層され、さらに、粘着剤層５０上のうち、スリット１３のＵ字状の内側の領域と余剰部１５以外の領域の全面にシリコンが塗布されることでシリコン層３１が積層されており、粘着剤層５０とシリコン層３１とによって剥離シート３０が剥離可能に貼着されている。本形態においては、粘着剤層５０とシリコン層３１とから本願発明における第１の接着層が構成されている。
【００４４】
これにより、本形態における配送ラベル１ａにおいては、貼付票１２のうち、貼付票１２に形成されたスリット１３のＵ字状の内側の領域に、それ以外の領域よりも強い接着力を具備する強接着部を有する構成が実現されている。
【００４５】
上記のように構成された配送ラベル１ａにおいては、剥離シート３０が剥離されて配送物に貼着され、その後、配達票１１及び貼付票１２が、ミシン目１４ａが破断されることで配送ラベル１ａから分離されて配送物から剥離されることになる。配達票１１及び貼付票１２は、その裏面に粘着剤層５０及びシリコン層３１が積層されているため、被着体となる配送物から容易に剥離することができる。その際、第１の実施の形態にて示したものと同様に、貼付票１２に形成されたスリット１３のＵ字状の内側の領域に、それ以外の領域よりも強い接着力を具備する強接着部を有するため、剥離開始マーク１２ｂに従って貼付票１２が配送物から剥離されていくと、貼付票１２のうちスリット１３のＵ字状の外側の領域が配送物から剥離される一方、スリット１３のＵ字状の内側の領域が配送物に貼着されたままとなり、貼付票１２がスリット１３のＵ字状の外側の領域と内側の領域とに確実に分離することになる。
【００４６】
このようにして貼付票１２が分離されることで、貼付票１２に表示された配送情報が分断され、情報の漏洩が回避されることとなる。
【００４７】
なお、本形態においては、伝票シート１０ａの裏面の全面に積層された粘着剤層５０上のうち、貼付票１２に形成されたスリット１３のＵ字状の内側の領域と余剰部１５以外の領域の全面にシリコン層３１が積層されることで、貼付票１１２のうち、スリット１３のＵ字状の内側の領域に、それ以外の領域よりも強い接着力を具備する強接着部を設けているが、伝票シート１０ａの裏面のうち、スリット１３のＵ字状の内側の領域と余剰部１５以外の領域に粘着剤層５０を積層しない構成とすることで、貼付票１２のうち、スリット１３のＵ字状の内側の領域に、それ以外の領域よりも強い接着力を具備する強接着部を設けることも考えられる。
【００４８】
また、上述した２つの実施の形態においては、スリット１３のＵ字状の内側の領域に、それ以外の領域よりも強い接着力を具備する強接着部を有するものを例に挙げて説明したが、Ｕ字状の内側の領域のうち、少なくともその先端部に強接着部を有するものであればよい。
【００４９】
また、切り込みとしてＵ字状のスリット１３を例に挙げて説明したが、伝票シート１０，１０ａを貫通し、突出側とは反対側が開口した凸形状を具備するものであれば、Ｖ字状やコの字状のものであってもよい。
【００５０】
（第３の実施の形態）
図６は、本発明の情報保護ラベルを利用した配送ラベルの第３の実施の形態を示す図であり、（ａ）は表面図、（ｂ）は（ａ）に示したＡ−Ａ’断面図、（ｃ）は伝票シート１１０の裏面に積層されたニス層１４２ａ〜１４２ｃの構成を示す図である。
【００５１】
本形態における配送ラベルは図６に示すように、伝票シート１１０と中間シート１２０とが擬似接着層１４０によって剥離可能に擬似貼着されているとともに、中間シート１２０の伝票シート１１０との貼着面とは反対側の面に粘着剤層１５０を介して剥離シート１３０が剥離可能に貼着された配送ラベル１０１であって、伝票シート１１０と擬似接着層１４０とによって本願発明の情報保護ラベルが構成されている。
【００５２】
伝票シート１１０は、本願発明における第１のシートを構成し、配達票１１１と貼付票１１２とがミシン目１１４を介して分離可能に区画形成されて構成されている。
【００５３】
配達票１１１には、この配送ラベル１０１が貼着されて配送される配送物の配送先の住所や氏名等の宛先情報が印字される配送情報表示欄１１１ａが設けられているとともに、配達票１１１を中間シート１２０から剥離する際の剥離開始端部及び剥離方向を示す剥離開始マーク１１１ｂが１つの角部に表示されている。
【００５４】
貼付票１１２は、本願発明における情報表示部となるものであって、この配送ラベル１０１が貼着されて配送される配送物の配送先の住所や氏名等の宛先情報が印字される配送情報表示欄１１２ａが設けられているとともに、貼付票１１２を中間シート１２０から剥離する際の剥離開始端部及び剥離方向を示す剥離開始マーク１１２ｂが対向する角部にそれぞれ表示されている。さらに貼付票１１２には、切り込みとなるスリット１１３が伝票シート１１０を貫通して形成されている。このスリット１１３は、貼付票１１２の外縁上に一方の端部を具備し、その端部から貼付票１１２上を延び、貼付票１１２の外縁近傍を折り返し部１１３ａとして折り返し、貼付票１１２上を再び延びてきて、さらに貼付票１１２の外縁近傍を折り返し部１１３ａとして折り返すことを繰り返すことで、貼付票１１２上を、貼付票１１２の１つの角部からこの角部に対角線上にて対向する角部に向かって往復して進行していく蛇腹状となっている。そして、貼付票１１２上を往復して進行したスリット１１３は、貼付票１１２の外縁上に他方の端部を具備することで、貼付票１１２を２つの領域に分離するものとなっている。このように、本形態におけるスリット１１３は、蛇腹状であることで、折り返し部１１３ａにおいて、突出側とは反対側が開口した凸形状を具備するものとなっている。なお、剥離開始マーク１１２ｂは、スリット１１３の蛇腹の進行方向と交差する方向にて対向する２つの角部にそれぞれ表示されており、それにより、スリット１１３の折り返し部１１３ａが剥離開始マーク１１２ｂによる貼付票１１２の中間シート１２０からの剥離開始端部側を向いている。
【００５５】
伝票シート１１０の裏面に積層された擬似接着層１４０は、本願発明における第１の接着層を構成し、三種類のニス層１４２ａ〜１４２ｃと接着剤層１４１とが積層されて構成されており、ニス層１４２ａ〜１４２ｃが伝票シート１１０側となるようにして伝票シート１１０に積層されている。ニス層１４２ａ〜１４２ｃは、互いにニスの濃度が異なり、それにより、伝票シート１１０と中間シート１２０とは擬似接着層１４０によって剥離可能に貼着されているものの、ニス層１４２ａ〜１４２ｃが積層された領域は、接着力が互いに異なるものとなっている。ニス層１４２ｂは、伝票シート１１０との積層面のうち、スリット１１３の折り返し部１１３ａの内側の領域に積層されており、ニス層１４２ｃは、配達票１１１及び貼付票１１２のうち剥離開始端マーク１１１ｂ，１１２ｄが表示された角部にそれぞれ積層されており、ニス層１４２ａは伝票シート１１０との積層面のそれ以外の領域全面に積層されている。そして、ニス層１４２ｃにおけるニス濃度が最も濃く、ニス層１４２ｂにおけるニスの濃度が最も薄いことにより、擬似接着層１４０は、貼付票１１２に対向する領域のうち、スリット１１３の折り返し部２１３ａの内側の領域、すなわち、スリット１１３の凸形状の先端部分の内側の領域に、それ以外の領域よりも強い接着力を具備する強接着部を有するものとなっている。接着剤層１４１は、ニス層１４２ａ〜１４２ｃの全面を覆うように積層されている。
【００５６】
中間シート１２０は、本願発明における第２のシートを構成するものであって、擬似接着層１４０によって伝票シート１１０に剥離可能に擬似貼着されている。中間シート１２０の擬似接着層１４０とは反対側の面には、その全面に粘着剤が塗布されることで粘着剤層１５０が積層され、この粘着剤層１５０によって剥離シート１３０が剥離可能に貼着されている。なお、中間シート１２０、粘着剤層１５０及び剥離シート１３０としては、中間シート１２０と剥離シート１３０が粘着剤層１５０を介して剥離可能に貼着されたタック紙を用いることが考えられる。
【００５７】
以下に、上記のように構成された配送ラベル１０１の使用方法及びその際の作用について説明する。
【００５８】
図７は、図６に示した配送ラベル１０１が配送物に貼着されるまでの使用方法を説明するための図である。
【００５９】
図６に示した配送ラベル１０１を使用する場合は、まず、図７（ａ）に示すように、配送情報表示欄１１１ａ，１１２ａに、この配送ラベル１０１が貼着されて配送される配送物の配送先の住所や氏名等の配送情報１１１ｃ，１１２ｃが印字される。
【００６０】
配送情報表示欄１１１ａ，１１２ａに配送情報１１１ｃ，１１２ｃが印字された後、中間シート１２０から剥離シート１３０が剥離され、表出した粘着剤層１５０によって、図７（ｂ）に示すように配送物２に貼着される。
【００６１】
このようにして配送ラベル１０１が貼着された配送物２は、配送情報表示欄１１１ａ，１１２ａに表示された配送情報１１１ｃ，１１２ｃに従って、配送物２の配送先に配送されていく。
【００６２】
図８は、配送物２の配送先に配送される際の配送ラベル１０１の使用方法を説明するための図である。図９及び図１０は、配送物２の配送先に配送された後の配送ラベル１０１の使用方法を説明するための図である。
【００６３】
上記のように配送ラベル１０１が貼着された配送物２が配送先に配送されると、図８（ａ）に示すように、配達票１１１が配送ラベル１０１から分離される。配達票１１１は、ミシン目１１４を介して貼付票１１２と分離可能となっているとともに、伝票シート１１０の裏面に積層された擬似接着層１４０によって中間シート１２０に剥離可能に貼着されていることで、剥離開始マーク１１１ｂに従って中間シート１２０から剥離することができる。その際、剥離開始端マーク１１１ｂが表示された角部に積層されたニス層１４２ｃを構成するニスの濃度が、他の領域に積層されたニス層１４２ａ，１４２ｂを構成するニスの濃度よりも濃いことから、剥離開始端マーク１１１ｂが表示された角部の中間シート１２０との貼着力が最も弱くなっており、それにより、配達票１１１の剥離開始マーク１１１ｂが表示された領域が摘みやすくなっている。また、配達票１１１と貼付票１１２との境界のうち、剥離開始マーク１１１ｂ側の端部に、剥離開始マーク１１１ｂ側の端部が配達票１１１側に斜めに向いたカット部を有するジッパーをミシン目１１４の代わりに設けておけば、配達票１１１を配送ラベル１０１から分離する力が配達票１１１側に向かった場合でも、配達票１１１の分離部分がミシン目１１４からずれて配達票１１１が破断してしまうことが回避される。
【００６４】
中間シート１２０から剥離された配達票１１１は、配送業者によって持ち帰られて配送管理に用いられる。
【００６５】
このようにして、図８（ｂ）に示すように、配達票１１１が配送物２から分離されることになる。
【００６６】
その後、配送物２の配送先においては、配送物２のパッケージ等の外装を廃棄する際、図９（ａ）に示すように、貼付票１１２が配送ラベル１０１から分離される。貼付票１１２は、擬似接着層１４０によって中間シート１２０に剥離可能に貼着されているため、中間シート１２０から剥離することで、配送ラベル１０１から分離することができる。その際、貼付票１１２は、貼付票１１２に表示された剥離開始マーク１１２ｂに従って中間シート１２０から剥離されていくことになる。ここで、剥離開始端マーク１１２ｂが表示された角部に積層されたニス層１４２ｃを構成するニスの濃度が、他の領域に積層されたニス層１４２ａ，１４２ｂを構成するニスの濃度よりも濃いことから、剥離開始端マーク１１２ｂが表示された角部の中間シート１２０との貼着力が最も弱くなっており、それにより、貼付票１１２の剥離開始マーク１１２ｂが表示された領域が摘みやすくなっている。
【００６７】
貼付票１１２が、剥離開始マーク１１２ｂに従って中間シート１２０から剥離されていくと、貼付票１１２には、蛇腹状のスリット１１３が形成されており、このスリット１１３は、蛇腹状の折り返し部１１３ａが剥離開始マーク１１２ｂによる貼付票１１２の中間シート１２０からの剥離開始端部側を向いているため、図９（ａ）に示すように、スリット１１３の折り返し部１１３ａのうち剥離開始端部側を向いた折り返し部１１３ａを介した２つの線部に挟まれた領域が中間シート１２０に貼着されたままとなる一方、この２つの線部の外側の領域が中間シート１２０から剥離していき、貼付票１１２が２つの領域に分離していく。
【００６８】
ここで、中間シート１２０から貼付票１１２を剥離する際、その剥離の速度等の条件によっては、貼付票１１２のスリット１１３の折り返し部１１３ａのうち剥離開始端部側を向いた折り返し部１１３ａを介した２つの線部に挟まれた領域も中間シート１２０から剥離してしまう虞がある。
【００６９】
しかしながら、本形態における配送ラベル１０１においては、伝票シート１１０と中間シート１２０とを剥離可能に擬似貼着する擬似接着層１４０が、ニスの濃度が互いに異なる三種類のニス層１４２ａ〜１４２ｃを用いることで、貼付票１１２に形成されたスリット１１３の蛇腹状の折り返し部１１３ａの内側の領域に、それ以外の領域よりも強い接着力を具備する強接着部を有するため、貼付票１１２は、スリット１１３の蛇腹状の折り返し部１１３ａの内側の領域が中間シート１２０から剥離しにくくなっている。そのため、剥離開始マーク１１２ｂに従って貼付票１１２が中間シート１２０から剥離されていくと、貼付票１１２のうちスリット１１３の剥離開始端部側を向いた折り返し部１１３ａを介した２つの線部に挟まれた領域が中間シート１２０に貼着されたままとなる一方、この２つの線部の外側の領域が中間シート１２０から剥離していき、貼付票１１２が２つの領域に分離していく。
【００７０】
そして、スリット１１３の両端部が貼付票１１２の外縁上に配置されていることで、貼付票１１２が２つの領域に分離し、図９（ｂ）に示すように、貼付票１１２のうち中間シート１２０から剥離した部分が貼付票１１２の中間シート１２０に貼着されたままとなる部分からきれいに分離することになる。
【００７１】
一方、貼付票１１２のうち中間シート１２０に貼着されたままとなる部分は、貼付票１１２のうち中間シート１２０から剥離した部分からきれいに分離されているため、図１０（ａ）に示すように、中間シート１２０に貼着されたままとなる部分に表示された剥離開始マーク１１２ｂに従って中間シート１２０から剥離されていくと、図１０（ｂ）に示すように、一度のアクションで１つのまとまった形状となって中間シート１２０から剥離することができる。その際、剥離開始端マーク１１２ｂが表示された角部に積層されたニス層１４２ｃを構成するニスの濃度が、他の領域に積層されたニス層１４２ａ，１４２ｂを構成するニスの濃度よりも濃いことから、剥離開始端マーク１１２ｂが表示された角部の中間シート１２０との貼着力が最も弱くなっており、それにより、貼付票１１２の剥離開始マーク１１２ｂが表示された領域が摘みやすくなっている。
【００７２】
上記のように中間シート１２０から剥離された貼付票１１２においては、スリット１１３を介した２つの領域に分離されているため、貼付票１１２に表示された配送情報１１２ｃが分断され、認識することが困難となって情報の漏洩が回避されることとなる。
【００７３】
（第４の実施の形態）
図１１は、本発明の情報保護ラベルを利用した配送ラベルの第４の実施の形態を示す図であり、（ａ）は表面図、（ｂ）は（ａ）に示したＡ−Ａ’断面図、（ｃ）は伝票シート１１０ａの裏面の構成を示す図である。
【００７４】
本形態は図１１に示すように、図６に示した配送ラベル１０１に対して、伝票シート１１０ａの構成と、伝票シート１１０ａの裏面の構成が異なる配送ラベル１０１ａである。
【００７５】
本形態における伝票シート１１０ａにおいては、伝票シート１１０ａの外周に沿ってミシン目１１４ａが形成されており、それにより、配達票１１１及び貼付票１１２が、ミシン目１１４ａの外側の領域となる余剰部１１５から分離可能に区画形成されている。
【００７６】
伝票シート１１０ａの裏面には、その全面に粘着剤が塗布されることで粘着剤層１５０が積層され、さらに、粘着剤層１５０上のうち、スリット１１３の折り返し部１１３ａの内側の領域と余剰部１１５以外の領域の全面にシリコンが塗布されることでシリコン層１３１が積層されており、粘着剤層１５０とシリコン層１３１とニス層１４２ｃとによって剥離シート１３０が剥離可能に貼着されている。本形態においては、粘着剤層１５０とシリコン層１３１とニス層１４２ｃとから本願発明における第１の接着層が構成されている。
【００７７】
これにより、本形態における配送ラベル１０１ａにおいては、貼付票１１２のうち、貼付票１１２に形成されたスリット１１３の折り返し部１１３ａの内側の領域に、それ以外の領域よりも強い接着力を具備する強接着部を有する構成が実現されている。
【００７８】
上記のように構成された配送ラベル１０１ａにおいては、剥離シート１３０が剥離されて配送物に貼着され、その後、配達票１１１及び貼付票１１２が、ミシン目１１４ａが破断されることで配送ラベル１０１ａから分離されて配送物から剥離されることになる。配達票１１１及び貼付票１１２は、その裏面に粘着剤層１５０とともにシリコン層１３１及びニス層１４２ｃが積層されているため、被着体となる配送物から容易に剥離することができる。その際、第３の実施の形態にて示したものと同様に、貼付票１１２に形成されたスリット１１３の折り返し部１１３ａの内側の領域に、それ以外の領域よりも強い接着力を具備する強接着部を有するため、剥離開始マーク１１２ｂに従って貼付票１１２が配送物から剥離されていくと、貼付票１１２のうちスリット１１３の剥離開始端部側を向いた折り返し部１１３ａを介した２つの線部に挟まれた領域が中間シート１２０に貼着されたままとなる一方、この２つの線部の外側の領域が中間シート１２０から剥離していき、貼付票１１２が２つの領域に確実に分離していく。
【００７９】
このようにして貼付票１１２が分離されることで、貼付票１１２に表示された配送情報が分断され、情報の漏洩が回避されることとなる。
【００８０】
（第５の実施の形態）
図１２は、本発明の情報保護ラベルを利用した配送ラベルの第５の実施の形態を示す図であり、（ａ）は表面図、（ｂ）は（ａ）に示したＡ−Ａ’断面図、（ｃ）は伝票シート２１０の裏面に積層されたニス層２４２ａ〜２４２ｃの構成を示す図である。
【００８１】
本形態における配送ラベルは図１２に示すように、伝票シート２１０と中間シート２２０とが擬似接着層２４０によって剥離可能に擬似貼着されているとともに、中間シート２２０の伝票シート２１０との貼着面とは反対側の面に粘着剤層２５０を介して剥離シート２３０が剥離可能に貼着された配送ラベル２０１であって、伝票シート２１０と擬似接着層２４０とによって本願発明の情報保護ラベルが構成されている。
【００８２】
伝票シート２１０は、本願発明における第１のシートを構成し、配達票２１１と貼付票２１２とがミシン目２１４を介して分離可能に区画形成されて構成されている。
【００８３】
配達票２１１には、この配送ラベル２０１が貼着されて配送される配送物の配送先の住所や氏名等の宛先情報が印字される配送情報表示欄２１１ａが設けられているとともに、配達票２１１を中間シート２２０から剥離する際の剥離開始端部及び剥離方向を示す剥離開始マーク２１１ｂが１つの角部に表示されている。
【００８４】
貼付票２１２は、本願発明における情報表示部となるものであって、この配送ラベル２０１が貼着されて配送される配送物の配送先の住所や氏名等の宛先情報が印字される配送情報表示欄２１２ａが設けられているとともに、貼付票２１２を中間シート２２０から剥離する際の剥離開始端部、剥離方向及び剥離の順番を示す剥離開始マーク２１２ｂ，２１２ｄが表示されている。さらに貼付票２１２には、切り込みとなるスリット２１３が伝票シート２１０を貫通して形成されている。このスリット２１３は、貼付票２１２の外縁を構成する一方の長辺上に一方の端部を具備し、その端部から貼付票２１２上を貼付票２１２の短手方向に延び、貼付票２１２の他方の長辺近傍を折り返し部２１３ａとして折り返し、貼付票２１２上を貼付票２１２の短手方向に再び延びてきて、さらに貼付票２１２の長辺近傍を折り返し部２１３ａとして折り返すことを繰り返すことで、貼付票２１２上を、貼付票２１２の一方の短辺側から他方の短辺側に向かって往復して進行していく蛇腹状となっている。そして、スリット２１３は、貼付票２１２の一方の長辺上に両端部を具備することで、貼付票２１２を２つの領域に分離するものとなっている。このように、本形態におけるスリット２１３は、蛇腹状であることで、折り返し部２１３ａにおいて、突出側とは反対側が開口した凸形状を具備するものとなっている。また、剥離開始マーク２１２ｂは、スリット２１３の両端部に挟まれた領域において一方の端部の近傍に表示されており、剥離開始マーク２１２ｄは、スリット２１３によって分離される２つの領域のうち剥離開始マーク２１２ｂが含まれない領域のうち貼付票２１２の角部に表示されている。
【００８５】
伝票シート２１０の裏面に積層された擬似接着層２４０は、本願発明における第１の接着層を構成し、三種類のニス層２４２ａ〜２４２ｃと接着剤層２４１とが積層されて構成されており、ニス層２４２ａ〜２４２ｃが伝票シート２１０側となるようにして伝票シート２１０に積層されている。ニス層２４２ａ〜２４２ｃは、互いにニスの濃度が異なり、それにより、伝票シート２１０と中間シート２２０とは擬似接着層２４０によって剥離可能に貼着されているものの、ニス層２４２ａ〜２４２ｃが積層された領域は、接着力が互いに異なるものとなっている。ニス層２４２ｂは、伝票シート２１０との積層面のうち、スリット２１３の折り返し部２１３ａの内側と、貼付票２１２のスリット２１３によって分離される２つの領域のうち剥離開始端マーク２１２ｄが含まれる領域のスリット２１３の端部に隣接する領域となる伝票シート２１０の２つの角部とに積層されており、ニス層２４２ｃは、配達票２１１及び貼付票２１２のうち剥離開始端マーク２１１ｂ，２１２ｄが表示された角部にそれぞれ積層されており、ニス層２４２ａは伝票シート２１０との積層面のそれ以外の領域全面に積層されている。そして、ニス層２４２ｃにおけるニス濃度が最も濃く、ニス層２４２ｂにおけるニスの濃度が最も薄いことにより、擬似接着層２４０は、貼付票２１２に対向する領域のうち、スリット２１３の折り返し部２１３ａの内側の領域、すなわち、スリット２１３の凸形状の先端部分の内側の領域と、伝票シート２１０の角部のうち貼付票２１２側の２つの角部とに、それ以外の領域よりも強い接着力を具備する強接着部を有するものとなっている。接着剤層２４１は、ニス層２４２ａ〜２４２ｃの全面を覆うように積層されている。
【００８６】
中間シート２２０は、本願発明における第２のシートを構成するものであって、擬似接着層２４０によって伝票シート２１０に剥離可能に擬似貼着されている。中間シート２２０の擬似接着層２４０とは反対側の面には、その全面に粘着剤が塗布されることで粘着剤層２５０が積層され、この粘着剤層２５０によって剥離シート２３０が剥離可能に貼着されている。なお、中間シート２２０、粘着剤層２５０及び剥離シート２３０としては、中間シート２２０と剥離シート２３０が粘着剤層２５０を介して剥離可能に貼着されたタック紙を用いることが考えられる。
【００８７】
以下に、上記のように構成された配送ラベル２０１の使用方法及びその際の作用について説明する。
【００８８】
図１３は、図１２に示した配送ラベル２０１が配送物に貼着されるまでの使用方法を説明するための図である。
【００８９】
図１２に示した配送ラベル２０１を使用する場合は、まず、図１３（ａ）に示すように、配送情報表示欄２１１ａ，２１２ａに、この配送ラベル２０１が貼着されて配送される配送物の配送先の住所や氏名等の配送情報２１１ｃ，２１２ｃが印字される。
【００９０】
配送情報表示欄２１１ａ，２１２ａに配送情報２１１ｃ，２１２ｃが印字された後、中間シート２２０から剥離シート２３０が剥離され、表出した粘着剤層２５０によって、図１３（ｂ）に示すように配送物２に貼着される。
【００９１】
このようにして配送ラベル２０１が貼着された配送物２は、配送情報表示欄２１１ａ，２１２ａに表示された配送情報２１１ｃ，２１２ｃに従って、配送物２の配送先に配送されていく。その際、伝票シート２１０の角部のうち貼付票２１２側の２つの角部に、それ以外の領域よりも強い接着力を具備する強接着部を有するため、配送物２の配送途中において、貼付票２１２が中間シート２２０から不用意に剥離してしまうことが回避される。なお、貼付票２１２が中間シート２２０から不用意に剥離してしまうことを回避するためには、貼付票２１２の角部に強接着部を設けることが好ましいが、配送物が配送先に配送された後に貼付票２１２を中間シート２２０から剥離できるようにするために、強接着部は、貼付票２１２の少なくとも１つを除く角部に設けることが好ましい。
【００９２】
図１４は、配送物２の配送先に配送される際の配送ラベル２０１の使用方法を説明するための図である。図１５及び図１６は、配送物２の配送先に配送された後の配送ラベル２０１の使用方法を説明するための図である。
【００９３】
上記のように配送ラベル２０１が貼着された配送物２が配送先に配送されると、図１４（ａ）に示すように、配達票２１１が配送ラベル２０１から分離される。配達票２１１は、ミシン目２１４を介して貼付票２１２と分離可能となっているとともに、伝票シート２１０の裏面に積層された擬似接着層２４０によって中間シート２２０に剥離可能に貼着されていることで、剥離開始マーク２１１ｂに従って中間シート２２０から剥離することができる。その際、剥離開始端マーク２１１ｂが表示された角部に積層されたニス層２４２ｃを構成するニスの濃度が、他の領域に積層されたニス層２４２ａ，２４２ｂを構成するニスの濃度よりも濃いことから、剥離開始端マーク２１１ｂが表示された角部の中間シート２２０との貼着力が最も弱くなっており、それにより、配達票２１１の剥離開始マーク２１１ｂが表示された領域が摘みやすくなっている。また、配達票２１１と貼付票２１２との境界のうち、剥離開始マーク２１１ｂ側の端部に、剥離開始マーク２１１ｂ側の端部が配達票２１１側に斜めに向いたカット部を有するジッパーをミシン目２１４の代わりに設けておけば、配達票２１１を配送ラベル２０１から分離する力が配達票２１１側に向かった場合でも、配達票２１１の分離部分がミシン目２１４からずれて配達票２１１が破断してしまうことが回避される。
【００９４】
中間シート２２０から剥離された配達票２１１は、配送業者によって持ち帰られて配送管理に用いられる。
【００９５】
このようにして、図１４（ｂ）に示すように、配達票２１１が配送物２から分離されることになる。
【００９６】
その後、配送物２の配送先においては、配送物２のパッケージ等の外装を廃棄する際、図１５（ａ）に示すように、貼付票２１２が配送ラベル２０１から分離される。貼付票２１２は、擬似接着層２４０によって中間シート２２０に剥離可能に貼着されているため、中間シート２２０から剥離することで、配送ラベル２０１から分離することができる。貼付票２１２は、貼付票２１２に表示された剥離開始マーク２１２ｂ，２１２ｄのうち剥離開始マーク２１２ｂ，２１２ｄによって剥離の順番が先であることが示される剥離開始マーク２１２ｂに従って中間シート２２０から剥離されていくことになる。その際、剥離開始端マーク２１２ｂが表示された領域に積層されたニス層２４２ｃを構成するニスの濃度が、他の領域に積層されたニス層２４２ａ，２４２ｂを構成するニスの濃度よりも濃いことから、剥離開始端マーク２１２ｂが表示された領域の中間シート２２０との貼着力が最も弱くなっており、それにより、貼付票２１２の剥離開始マーク２１２ｂが表示された領域が摘みやすくなっている。また、貼付票２１２のうち剥離開始マーク２１２ｂが表示された領域にスリット２１３を介して隣接する領域に積層されたニス層２４２ｂが、他の領域に積層されたニス層２４２ａ，２４２ｃを構成するニスの濃度よりも薄いことから、貼付票２１２のうち剥離開始マーク２１２ｂが表示された領域にスリット２１３を介して隣接する領域の中間シート２２０との貼着力が最も強くなっており、それにより、貼付票２１２の剥離開始マーク２１２ｂが表示された領域を中間シート２２０から剥離する際、剥離開始マーク２１２ｂが表示された領域にスリット２１３を介して隣接する領域が釣られて中間シート２２０から剥離してしまうことがない。
【００９７】
貼付票２１２が、剥離開始マーク２１２ｂに従って中間シート２２０から剥離されていくと、貼付票２１２には、蛇腹状のスリット２１３が形成されているため、図１５（ａ）に示すように、スリット２１３の折り返し部２１３ａのうち剥離開始端部側を向いた折り返し部２１３ａを介した２つの線部に挟まれた領域が中間シート２２０に貼着されたままとなる一方、この２つの線部の外側の領域が中間シート２２０から剥離していき、貼付票２１２が２つの領域に分離していく。
【００９８】
ここで、中間シート２２０から貼付票２１２を剥離する際、その剥離の速度等の条件によっては、貼付票２１２のスリット２１３の折り返し部２１３ａのうち剥離開始端部側を向いた折り返し部２１３ａを介した２つの線部に挟まれた領域も中間シート２２０から剥離してしまう虞がある。
【００９９】
しかしながら、本形態における配送ラベル２０１においては、伝票シート２１０と中間シート２２０とを剥離可能に擬似貼着する擬似接着層２４０が、ニスの濃度が互いに異なる三種類のニス層２４２ａ〜２４２ｃを用いることで、貼付票２１２に形成されたスリット２１３の蛇腹状の折り返し部２１３ａの内側の領域に、それ以外の領域よりも強い接着力を具備する強接着部を有するため、貼付票２１２は、スリット２１３の蛇腹状の折り返し部２１３ａの内側の領域が中間シート２２０から剥離しにくくなっている。そのため、剥離開始マーク２１２ｂに従って貼付票２１２が中間シート２２０から剥離されていくと、貼付票２１２のうちスリット２１３の剥離開始端部側を向いた折り返し部２１３ａを介した２つの線部に挟まれた領域が中間シート２２０に貼着されたままとなる一方、２つの線部の外側の領域が中間シート２２０から剥離していき、貼付票２１２が２つの領域に分離していく。
【０１００】
そして、スリット２１３の両端部が貼付票２１２の外縁上に配置されていることで、貼付票２１２が２つの領域に分離し、図１５（ｂ）に示すように、貼付票２１２のうち中間シート２２０から剥離した部分が貼付票２１２の中間シート２２０に貼着されたままとなる部分からきれいに分離することになる。
【０１０１】
一方、貼付票２１２のうち中間シート２２０に貼着されたままとなる部分は、貼付票２１２のうち中間シート２２０から剥離した部分からきれいに分離されているため、図１６（ａ）に示すように、中間シート２２０に貼着されたままとなる部分に表示された剥離開始マーク２１２ｄに従って中間シート２２０から剥離されていくと、図１６（ｂ）に示すように、一度のアクションで１つのまとまった形状となって中間シート２２０から剥離することができる。その際、剥離開始端マーク２１２ｄが表示された角部に積層されたニス層２４２ｃを構成するニスの濃度が、他の領域に積層されたニス層２４２ａ，２４２ｂを構成するニスの濃度よりも濃いことから、剥離開始端マーク２１２ｄが表示された角部の中間シート２２０との貼着力が最も弱くなっており、それにより、貼付票２１２の剥離開始マーク２１２ｄが表示された領域が摘みやすくなっている。
【０１０２】
上記のように中間シート２２０から剥離された貼付票２１２においては、スリット２１３を介した２つの領域に分離されているため、貼付票２１２に表示された配送情報２１２ｃが分断され、認識することが困難となって情報の漏洩が回避されることとなる。
【０１０３】
本形態においては、スリット２１３が、貼付票２１２の一方の短辺側から他方の短辺側に向かって往復して進行していく蛇腹状となっていることから、スリット２１３の折り返し部２１３ａの内側に積層されるニス層２４２ｂが配達票２１１と貼付票２１２との連接方向に直交する方向に並んでいる。そのため、第３の実施の形態に示したものと比べて、ニス層２４２ｂの積層工程が容易なものとなる。
【０１０４】
（第６の実施の形態）
図１７は、本発明の情報保護ラベルを利用した配送ラベルの第６の実施の形態を示す図であり、（ａ）は表面図、（ｂ）は（ａ）に示したＡ−Ａ’断面図、（ｃ）は伝票シート２１０ａの裏面の構成を示す図である。
【０１０５】
本形態は図１７に示すように、図１２に示した配送ラベル２０１に対して、伝票シート２１０ａの構成と、伝票シート２１０ａの裏面の構成が異なる配送ラベル２０１ａである。
【０１０６】
本形態における伝票シート２１０ａにおいては、伝票シート２１０ａの外周に沿ってミシン目２１４ａが形成されており、それにより、配達票２１１及び貼付票２１２が、ミシン目２１４ａの外側の領域となる余剰部２１５から分離可能に区画形成されている。
【０１０７】
伝票シート２１０ａの裏面には、その全面に粘着剤が塗布されることで粘着剤層２５０が積層され、さらに、粘着剤層２５０上のうち、スリット２１３の折り返し部２１３ａの内側の領域と伝票シート２１０ａの角部のうち貼付票２１１側となる２つの角部と余剰部２１５とを除く領域の全面にシリコンが塗布されることでシリコン層２３１が積層されており、粘着剤層２５０とシリコン層２３１とニス層２４２ｃとによって剥離シート２３０が剥離可能に貼着されている。本形態においては、粘着剤層２５０とシリコン層２３１とニス層２４２ｃとから本願発明における第１の接着層が構成されている。
【０１０８】
これにより、本形態における配送ラベル２０１ａにおいては、貼付票２１２のうち、貼付票２１２に形成されたスリット２１３の折り返し部２１３ａの内側の領域に、それ以外の領域よりも強い接着力を具備する強接着部を有する構成が実現されている。
【０１０９】
上記のように構成された配送ラベル２０１ａにおいては、剥離シート２３０が剥離されて配送物に貼着され、その後、配達票２１１及び貼付票２１２が、ミシン目２１４ａが破断されることで配送ラベル２０１ａから分離されて配送物から剥離されることになる。配達票２１１及び貼付票２１２は、その裏面に粘着剤層２５０とともにシリコン層２３１及びニス層２４２ｃが積層されているため、被着体となる配送物から容易に剥離することができる。その際、第５の実施の形態にて示したものと同様に、貼付票２１２に形成されたスリット２１３の折り返し部２１３ａの内側の領域に、それ以外の領域よりも強い接着力を具備する強接着部を有するため、剥離開始マーク２１２ｂに従って貼付票２１２が配送物から剥離されていくと、貼付票２１２のうちスリット２１３の剥離開始端部側を向いた折り返し部２１３ａを介した２つの線部に挟まれた領域が中間シート２２０に貼着されたままとなる一方、この２つの線部の外側の領域が中間シート２２０から剥離していき、貼付票２１２が２つの領域に確実に分離していく。
【０１１０】
このようにして貼付票２１２が分離されることで、貼付票２１２に表示された配送情報が分断され、情報の漏洩が回避されることとなる。
【０１１１】
なお、上述した実施の形態においては、切り込みとしてスリット１３，１１３，２１３を例に挙げて説明したが、切り込みとしては、スリットの一部にタイ部を有するものや、カット部とタイ部とからなるミシン目等、シートを分離可能なものであれば適宜使用することができる。
【符号の説明】
【０１１２】
１，１ａ，１０１，１０１ａ，２０１，２０１ａ    配送ラベル
２    配送物
１０，１０ａ，１１０，１１０ａ，２１０，２１０ａ    伝票シート
１１，１１１，２１１    配達票
１１ａ，１２ａ，１１１ａ，１１２ａ，２１１ａ，２１２ａ    配送情報表示欄
１１ｂ，１２ｂ，１１１ｂ，１１２ｂ，２１１ｂ，２１２ｂ，２１２ｄ    剥離開始マーク
１１ｃ，１２ｃ，１１１ｃ，１１２ｃ，２１１ｃ，２１２ｃ    配送情報
１２，１１２，２１２    貼付票
１２ｄ    抜け部
１３，１１３，２１３    スリット
１４，１４ａ，１１４，１１４ａ，２１４，２１４ａ    ミシン目
１５，１１５，２１５    余剰部
２０，１２０，２２０    中間シート
３０，１３０，２３０    剥離シート
３１，１３１，２３１    シリコン層
４０，１４０，２４０    擬似接着層
４１，１４１，２４１    接着剤層
４２ａ〜４２ｃ，１４２ｃ〜１４２ｃ，２４２ｃ〜２４２ｃ    ニス層
５０，１５０，１５０    粘着剤層
【図１】
2020024249.tif 000003
【図２】
2020024249.tif 000004
【図３】
2020024249.tif 000005
【図４】
2020024249.tif 000006
【図５】
2020024249.tif 000007
【図６】
2020024249.tif 000008
【図７】
2020024249.tif 000009
【図８】
2020024249.tif 000010
【図９】
2020024249.tif 000011
【図１０】
2020024249.tif 000012
【図１１】
2020024249.tif 000013
【図１２】
2020024249.tif 000014
【図１３】
2020024249.tif 000015
【図１４】
2020024249.tif 000016
【図１５】
2020024249.tif 000017
【図１６】
2020024249.tif 000018
【図１７】
2020024249.tif 000019